(57)【要約】【課題】パチンコ機本体（スロットマシン本体）及び台間精算機間の通信で共通の情報の更新を要する場合に、両情報の不整合をなくし、遊技者、ホール双方に損害を与えることのない記録媒体式遊技機を提供する。【解決手段】球貸し（メダル貸し）や精算等の有価情報に係る情報の読書き時において、パチンコ機本体１及び台間精算機２間で遊技者所有の記録媒体への上記情報の更新を伴う通信が生じた場合に、その各通信に係るパチンコ機本体１及び台間精算機２双方において共通の情報の更新タイミングを、その各通信の一連の手順の完了後とする情報更新制御手段２６，３３を設けた。通信の一連の手順の完了前にいずれか一方のみの情報を更新してしまうと、それ以降の通信手順において障害が発生して通信が完了しなかった場合に、双方の情報が不整合となって遊技者又はホールに損害を与え得る。情報更新制御手段２６，３３はこのような不整合の発生を防止する。【選択図】図６
2007215608.tif 000002
【特許請求の範囲】
【請求項１】
持運び自在の記録媒体に対して情報を読書きするリーダライタ装置及び遊技機本体間で、前記記録媒体に記録された有価情報に基づく情報を送受信し、その情報に基づいて遊技が行われる記録媒体式遊技機において、
前記リーダライタ装置及び遊技機本体間で送受信される有価情報に基づく情報とは、前記リーダライタ装置により前記記録媒体から読み出された有価情報に対してそのリーダライタ装置側で操作されて生成され、前記遊技機本体に送信される貸し遊技媒体数情報であり、
この貸し遊技媒体数情報の送信に伴う前記リーダライタ装置における前記記録媒体の情報の更新タイミングを、その貸し遊技媒体数情報の送受信の完了後とする情報更新制御手段を備えることを特徴とする記録媒体式遊技機。
【請求項２】
持運び自在の記録媒体に対して情報を読書きするリーダライタ装置を備えた遊技媒体管理精算装置及び遊技機本体間で、前記記録媒体に記録された有価情報に基づく情報を含む各種情報を送受信し、その各種情報に基づいて遊技が行われ、
精算スイッチが操作されることによって前記遊技媒体管理精算装置及び遊技機本体間の通信を経て前記記録媒体への情報の更新を伴う精算処理を行い、その記録媒体を前記リーダライタ装置外に排出する記録媒体式遊技機において、
前記遊技媒体管理精算装置及び遊技機本体間で、前記記録媒体への情報の更新を含む各種情報の更新を伴う通信が生じた場合に、その各通信に係る前記遊技媒体管理精算装置及び遊技機本体双方において共通の情報の更新タイミングを、その各通信の一連の手順の完了後とする情報更新制御手段を備えることを特徴とする記録媒体式遊技機。
【請求項３】
前記各種情報には、遊技の開始に際し、前記リーダライタ装置により前記記録媒体から読み出された有価情報に対して前記遊技媒体管理精算装置側で操作されて生成され、前記遊技機本体に送信される貸し遊技媒体数情報と、前記精算スイッチの操作に基づき前記遊技機本体から前記遊技媒体管理精算装置に送信される、前記遊技機本体に残っている持ち遊技媒体数情報とを含むことを特徴とする請求項２に記載の記録媒体式遊技機。
【請求項４】
前記各種情報には、遊技の開始後、前記精算スイッチの操作前に、前記遊技媒体管理精算装置及び遊技機本体間で行われる遊技媒体数の移送に係る情報を含むことを特徴とする請求項２に記載の記録媒体式遊技機。
【請求項５】
持運び自在の記録媒体に対して情報を読書きするリーダライタ装置を備えた遊技媒体管理精算装置及び遊技機本体間で、前記記録媒体に記録された有価情報に基づく情報を含む各種情報を送受信し、その各種情報に基づいて遊技が行われる記録媒体式遊技機において、
前記遊技媒体管理精算装置及び遊技機本体双方において共通の情報の更新を伴う通信が生じた場合に、前記共通の情報の更新タイミングを、その通信の一連の手順の完了後とする情報更新制御手段を備えることを特徴とする記録媒体式遊技機。
【請求項６】
前記遊技媒体管理精算装置は、前記遊技機本体の収納筐体とは別個独立の収納筐体内に収納されることを特徴とする請求項２〜５のいずれかに記載の記録媒体式遊技機。
【請求項７】
前記遊技媒体管理精算装置は、前記遊技機本体の収納筐体内に収納されることを特徴とする請求項２〜５のいずれかに記載の記録媒体式遊技機。
【請求項８】
前記遊技機本体は、
複数列の図柄表示部で各別に変動表示する図柄が全て停止した時に、前記複数列の図柄表示部に交差して設定された入賞ライン上に予め定められた図柄が並んでいるか否かの遊技を行うスロットマシン本体、又は
入賞口及びアウト口を含む種々の盤面構成部材が配置された遊技盤面上の遊技領域に、発射操作部の操作により遊技球を打ち込んで移動させ、この遊技球が前記入賞口又はアウト口のいずれに入球するかの遊技を行うパチンコ機本体であって、封入された遊技球を循環使用してパチンコ遊技を行う封入球式パチンコ機の本体、若しくは前記遊技盤面及び遊技球を画像表示器に画像で表示して仮想的にパチンコ遊技を行う映像式パチンコ機の本体、
であることを特徴とする請求項２〜７のいずれかに記載の記録媒体式遊技機。
【発明の詳細な説明】
【技術分野】
【０００１】
本発明は、遊技を行うに際してカード状の記録媒体を必要とする所謂ＣＲ機、あるいは遊技の終了に際しても上記記録媒体を必要とする封入球式パチンコ機や映像式パチンコ機等のように、遊技に持運び自在の記録媒体を用いる記録媒体式遊技機に関するものである。
【背景技術】
【０００２】
ＣＲ機、封入球式パチンコ機、映像式パチンコ機等においては、持運び自在の記録媒体に記録された有価情報等の情報（データ）に基づいてパチンコ遊技を行うため、いずれもリーダライタ装置を備えている。
例えばＣＲ機では、そのリーダライタ装置及びパチンコ機本体間で、上記記録媒体に記録された有価情報に基づく情報を送受信し、その情報に基づいてパチンコ遊技が行われる。具体的には、上記リーダライタ装置により記録媒体から読み出された有価情報、具体的には投資金額あるいは投資金額に応じた度数に対する、同リーダライタ装置側での操作に応じて生成された貸し球数情報をパチンコ機本体側に送信してパチンコ遊技が行われる（例えば、特許文献１参照）。
【０００３】
また、封入球式パチンコ機や映像式パチンコ機は、その遊技球管理精算装置中にリーダライタ装置を備えているが、これらの記録媒体式パチンコ機では、パチンコ遊技を行う際のみならず、パチンコ遊技の終了に際しても、遊技球管理精算装置（リーダライタ装置）及びパチンコ機本体間で情報を送受信する。具体的には、パチンコ遊技の終了の際に、パチンコ機本体に残っている持ち球数（残持ち球数）情報が、精算スイッチの操作に基づきパチンコ機本体から遊技球管理精算装置に送信され、精算処理が行われる。
更に、例えば特許文献２に開示されているような、メダル（コインとも称する）を必要としないスロットマシンにおいても、リーダライタ装置を備えており、遊技を行う際のみならず、遊技を終了するに際してもリーダライタ装置及びスロットマシン本体間で情報を送受信して遊技が行われる。
【特許文献１】特開２００２−２１９２６３号公報
【特許文献２】特開平４−１８０７８９号公報
【発明の開示】
【発明が解決しようとする課題】
【０００４】
しかしながら上記従来技術では、リーダライタ装置及びパチンコ機本体間の情報の送受信、つまり通信において、それらの双方で共通の情報の更新が必要な場合であっても、その情報の更新は、リーダライタ装置及びパチンコ機本体の個々において独立して行っていた。
このため、上記通信が途中で何らかの障害を受けて完了（正常終了）しなかった場合に、リーダライタ装置及びパチンコ機本体のいずれか一方側のみの情報が更新され、他方側が更新されないという事態を生じさせた。
【０００５】
例えばＣＲ機において、リーダライタ装置側では遊技者の操作に応じた度数の減算を行い、減算後の度数をカードに書き込んだ（更新した）。にも拘わらず、その度数に応じた貸し球数（パチンコ機本体において発射持ち球数となる球数）情報のパチンコ機本体への通信完了までの間に何らかの障害を受け、その通信及びその通信に対応する処理が完了しないことがある。
この場合、カードは度数減算処理されたにも拘わらず球貸し数情報の受信はされず、遊技球が貸し出されないという事態を生じさせ、このため、カード所有者に損害を与えるという問題があった。
【０００６】
また、封入球式パチンコ機や映像式パチンコ機における遊技球管理精算装置及びパチンコ機本体間の通信においても、例えばパチンコ遊技の終了に際し、パチンコ機本体から残持ち球数情報を送信したので同パチンコ機本体における残持ち球数を０クリア（更新）した。にも拘わらず、その残持ち球数情報の遊技球管理精算装置への通信完了前に何らかの障害を受け、上記残持ち球数を遊技球管理精算装置で管理されている持ち球数（遊技球管理精算装置側にある残持ち球数：外部貯留球数）に加算する処理を主とする精算処理が完了に至らないことがある。この場合も、やはりカード所有者に損害を与えるという問題があった。
以上のような問題は、上掲特許文献２に開示されいるスロットマシンについても解消されてはいない。
【０００７】
本発明は、上記のような問題を解消するためになされたもので、記録媒体のリーダライタ装置や遊技媒体管理精算装置とパチンコ機本体間の通信において、それら双方で共通の情報の更新が必要な場合に、それらのうちのいずれか一方側は更新されるが他方側は更新されないという事態（情報の不整合）を生じさせず、したがって、例えばパチンコ機における球貸し、スロットマシンにおけるメダル貸しや、精算等において、遊技機所有者であるホール側にも記録媒体所有者である遊技者側にも損害を与えることのない記録媒体式遊技機を提供することを目的とする。
【課題を解決するための手段】
【０００８】
上記目的を達成するために、特許請求の範囲の請求項１に記載の発明は、持運び自在の記録媒体に対して情報を読書きするリーダライタ装置及び遊技機本体間で、前記記録媒体に記録された有価情報に基づく情報を送受信し、その情報に基づいて遊技が行われる記録媒体式遊技機において、前記リーダライタ装置及び遊技機本体間で送受信される有価情報に基づく情報とは、前記リーダライタ装置により前記記録媒体から読み出された有価情報に対してそのリーダライタ装置側で操作されて生成され、前記遊技機本体に送信される貸し遊技媒体数情報であり、この貸し遊技媒体数情報の送信に伴う前記リーダライタ装置における前記記録媒体の情報の更新タイミングを、その貸し遊技媒体数情報の送受信の完了後とする情報更新制御手段を備えることを特徴とする。
【０００９】
特許請求の範囲の請求項２に記載の発明は、持運び自在の記録媒体に対して情報を読書きするリーダライタ装置を備えた遊技媒体管理精算装置及び遊技機本体間で、前記記録媒体に記録された有価情報に基づく情報を含む各種情報を送受信し、その各種情報に基づいて遊技が行われ、精算スイッチが操作されることによって前記遊技媒体管理精算装置及び遊技機本体間の通信を経て前記記録媒体への情報の更新を伴う精算処理を行い、その記録媒体を前記リーダライタ装置外に排出する記録媒体式遊技機において、前記遊技媒体管理精算装置及び遊技機本体間で、前記記録媒体への情報の更新を含む各種情報の更新を伴う通信が生じた場合に、その各通信に係る前記遊技媒体管理精算装置及び遊技機本体双方において共通の情報の更新タイミングを、その各通信の一連の手順の完了後とする情報更新制御手段を備えることを特徴とする。
【００１０】
特許請求の範囲の請求項３に記載の発明は、上記請求項２に記載の発明において、前記各種情報には、遊技の開始に際し、前記リーダライタ装置により前記記録媒体から読み出された有価情報に対して前記遊技媒体管理精算装置側で操作されて生成され、前記遊技機本体に送信される貸し遊技媒体数情報と、前記精算スイッチの操作に基づき前記遊技機本体から前記遊技媒体管理精算装置に送信される、前記遊技機本体に残っている持ち遊技媒体数情報とを含むことを特徴とする。
【００１１】
特許請求の範囲の請求項４に記載の発明は、上記請求項２に記載の発明において、前記各種情報には、遊技の開始後、前記精算スイッチの操作前に、前記遊技媒体管理精算装置及び遊技機本体間で行われる遊技媒体数の移送に係る情報を含むことを特徴とする。
【００１２】
特許請求の範囲の請求項５に記載の発明は、持運び自在の記録媒体に対して情報を読書きするリーダライタ装置を備えた遊技媒体管理精算装置及び遊技機本体間で、前記記録媒体に記録された有価情報に基づく情報を含む各種情報を送受信し、その各種情報に基づいて遊技が行われる記録媒体式遊技機において、前記遊技媒体管理精算装置及び遊技機本体双方において共通の情報の更新を伴う通信が生じた場合に、前記共通の情報の更新タイミングを、その通信の一連の手順の完了後とする情報更新制御手段を備えることを特徴とする。
【００１３】
特許請求の範囲の請求項６に記載の発明は、上記請求項２〜５のいずれかに記載の発明において、前記遊技媒体管理精算装置は、前記遊技機本体の収納筐体とは別個独立の収納筐体内に収納されることを特徴とする。
【００１４】
特許請求の範囲の請求項７に記載の発明は、上記請求項２〜５のいずれかに記載の発明において、前記遊技媒体管理精算装置は、前記遊技機本体の収納筐体内に収納されることを特徴とする。
【００１５】
特許請求の範囲の請求項８に記載の発明は、上記請求項２〜７のいずれかに記載の発明において、前記遊技機本体は、複数列の図柄表示部で各別に変動表示する図柄が全て停止した時に、前記複数列の図柄表示部に交差して設定された入賞ライン上に予め定められた図柄が並んでいるか否かの遊技を行うスロットマシン本体、又は入賞口及びアウト口を含む種々の盤面構成部材が配置された遊技盤面上の遊技領域に、発射操作部の操作により遊技球を打ち込んで移動させ、この遊技球が前記入賞口又はアウト口のいずれに入球するかの遊技を行うパチンコ機本体であって、封入された遊技球を循環使用してパチンコ遊技を行う封入球式パチンコ機の本体、若しくは前記遊技盤面及び遊技球を画像表示器に画像で表示して仮想的にパチンコ遊技を行う映像式パチンコ機の本体であることを特徴とする。
【発明の効果】
【００１６】
特許請求の範囲の請求項１に記載の発明によれば、例えばＣＲ機や記録媒体式スロットマシンにおいて、リーダライタ装置側では遊技者の操作に応じた度数の減算を行い、減算後の度数をカードに書き込んだが、遊技機本体側において遊技媒体貸し数情報の受信はされないで遊技ができず、遊技者に損害を与える等の問題を解消できる。
【００１７】
特許請求の範囲の請求項２、３に記載の発明によれば、例えば封入球式パチンコ機や映像式パチンコ機において、遊技球管理精算装置側では遊技者の操作に応じた度数の減算を行って減算後の度数をカードに書き込んだが、パチンコ機本体側において球貸し数情報の受信はされないで遊技ができず、遊技者に損害を与える等の問題を解消できる。また、遊技終了の際の精算においても、同様に遊技者に損害を与える等の問題を解消できる。その他、更新される情報の不整合に起因する損害を遊技者あるいはホール側に与えることもない。
記録媒体式スロットマシン等、他の記録媒体式遊技機においても同様の効果を発揮できる。
ここで、記録媒体式スロットマシンにおいては、遊技媒体は上記遊技球からメダルあるいは遊技権利データ（通常のメダルを使用するスロットマシンにおけるメダルに相当する。以下同じ。）に替わり、また、遊技媒体管理精算装置は遊技球管理精算装置からメダル管理精算装置あるいは遊技権利データ管理精算装置に、遊技機本体はパチンコ機本体からスロットマシン本体に替わる。後述する請求項４及び５についても同様である。
【００１８】
特許請求の範囲の請求項４に記載の発明によれば、請求項２に記載の発明において、遊技の開始後、精算スイッチの操作前に、遊技球管理精算装置及びパチンコ機本体間で行われる球数の移送に係る情報についても、それらに共通の情報の更新において不整合を生じさせず、遊技者あるいはホール側に損害を与えることはない。
記録媒体式スロットマシン等、他の記録媒体式遊技機においても同様の効果を発揮できる。
【００１９】
特許請求の範囲の請求項５に記載の発明によれば、広く、遊技球管理精算装置及びパチンコ機本体間の通信において、共通の情報の更新を不整合なく行え、例えばホール側で行うパチンコ機稼動状況の把握、管理のため、パチンコ機本体が有する情報を同パチンコ機本体から一定時間間隔で遊技球管理精算装置に送信し、ホールコンピュータに転送するような場合に、パチンコ機本体及び遊技球管理精算装置間において不整合のない情報をホールコンピュータに転送できる。
記録媒体式スロットマシン等、他の記録媒体式遊技機においても同様の効果を発揮できる。
【００２０】
特許請求の範囲の請求項６に記載の発明によれば、請求項２〜５に記載の発明において、遊技媒体管理精算装置を、遊技機本体の収納筐体とは別個独立の収納筐体内に収納したので、遊技機本体の取替えが容易になる。したがって、遊技機本体のみの修理・交換が容易になり、また、遊技機の機種変更を遊技機本体のみの取替えによって可能となる。
【００２１】
特許請求の範囲の請求項７に記載の発明によれば、請求項２〜５に記載の発明において、遊技媒体管理精算装置を遊技機本体の収納筐体内に収納したので、遊技媒体管理精算装置の収納筐体を省略できる。
【００２２】
特許請求の範囲の請求項８に記載の発明によれば、請求項２〜７に記載の発明が封入球式パチンコ機、映像式パチンコ機あるいはスロットマシンに適用され、各々請求項２〜７の発明の効果を発揮し得る。
【発明を実施するための最良の形態】
【００２３】
以下、本発明の実施の形態を図面に基づき説明する。なお、各図間において、同一符号は同一又は相当部分を示す。
始めに、本発明が適用される映像式パチンコ機について概述する。
映像式パチンコ機は、機械式のパチンコ機（ここでは封入球式パチンコ機を除く。以下、実パチンコ機と記す。）と同様の発射操作部を備え、入賞口、アウト口、遊技釘等の盤面構成部材が実パチンコ機の遊技盤面形態を模して配置された遊技盤面と、この遊技盤面上の遊技領域に打ち込まれ移動する遊技球とを画像表示器に画像で表示し、遊技球が入賞口又はアウト口のいずれに入球するかを基本とするパチンコ遊技を仮想的に行うパチンコ機である。賞球は、遊技球が入賞口に入ったときに払い出され、アウト口に入ったときには払い出されない等の基本的な遊技のルールは実パチンコ機の場合と特に変わるところはない。
【００２４】
このように映像式パチンコ機では、鋼球等からなる実際の遊技球（以下、実球と記す。）を、機内においても、機外への賞球の払い出しにも全く使用しないので遊技終了時の精算を実球によって行うことができない。
そこで映像式パチンコ機では、遊技者が操作可能の精算スイッチ及び精算処理をする手段を設け、スイッチ操作によって、その操作時点での残持ち球数をカード等の記録媒体（通常は遊技開始時に使用した記録媒体）に記録し、その記録媒体を機外に排出可能としている。記録媒体に記録された情報は、景品等の交換時において呈示、例えば情報読取手段によって読み出されて呈示され、景品等との交換価値情報としての機能を果たす。
なお、封入球式パチンコ機は、封入された遊技球を循環使用してパチンコ遊技を行うパチンコ機であって、映像式パチンコ機とは異なり実球を使用するが、払い出された賞球等の持ち球は機外に貯留されることはない。したがって封入球式パチンコ機も、映像式パチンコ機と同様に、遊技終了時の精算を実球によって行うことができず、遊技終了時の精算が映像式パチンコ機と同様に行われるものであり、本発明の適用が可能である。
【００２５】
図１は本発明が適用された映像式パチンコ機の一実施形態を示す正面図、図２は同じく右側面図、図３は同じく平面図である。図４はこれら図１〜図３に示したパチンコ機の遊技球管理精算装置部分を取り出して示す斜視図である。
これら各図において、１は映像式パチンコ機の本体（以下、パチンコ機本体と記す。）であり、遊技球管理精算装置２とで映像式パチンコ機を構成する。
遊技球管理精算装置２は、持運び自在の記録媒体（図示せず）に対して情報を読書きするリーダライタ装置３を備える。
本実施形態では、この遊技球管理精算装置２は、パチンコ機本体１の収納筐体（以下、本体収納筐体と記す。）４とは別個独立の収納筐体５内に収納され、本体収納筐体４に隣接配置されている。
収納筐体５を本体収納筐体４から別個独立に構成することによれば、パチンコ機本体１のみの修理・交換が容易になり、また、パチンコ機の機種変更をパチンコ機本体１のみの取替えによって可能となる。遊技球管理精算装置２を本体収納筐体４内に収納してもよく、この場合は収納筐体５を省略できる。
なお、持運び自在の記録媒体（以下、記録媒体と略記する。）としては、カード状の記録媒体、例えば磁気記録カードやＩＣカード、ここでは磁気記録カードが用いられるが、これのみに限定されることはない。好ましくは小さく、軽く、薄い等の特徴をもつ記録媒体であればそのいずれでも、例えばＵＳＢ（Universal Serial Bus）規格を適用した記録媒体であっても使用可能である。記録媒体に対して情報を読書きするための構成は使用する記録媒体の種類に応じて変更される。
【００２６】
パチンコ機本体１は、本実施形態では映像式パチンコ機の本体であり、上述したように実パチンコ機と同様の発射操作部６を備え、また入賞口、アウト口、遊技釘等の盤面構成部材（図示せず）が実パチンコ機の遊技盤面形態を模して配置された遊技盤面と、この遊技盤面上の遊技領域に打ち込まれ流下、移動する遊技球（図示せず）とを画像で表示する画像表示器７を備える。
【００２７】
画像表示器７下方の左右方向ほぼ中央位置には、遊技に必要な情報（データ）を表示するデータ表示器８が配置されている。データ表示器８は、図５にその表示面８ａを拡大して示すように、例えば賞球数表示部９と、クレジット球数表示部１０と、球貸し可否表示部１１とを備えている。
上記賞球数表示部９は、例えば９個のＬＥＤを用いた９セグＬＥＤからなり、賞球数の払出しを１個〜１９個まで表示可能である。実際には、入賞口別に定められた賞球数、例えば５個、１０個又は１５個の賞球数の払出しを表示する。
【００２８】
クレジット球数表示部１０は、例えば４個の７セグＬＥＤからなり、クレジット球の数を１個〜９９９９個まで表示可能である。
ここで、クレジット球とは、パチンコ機本体１内に存在する発射可能な持ち球（発射持ち球）を指し、このクレジット球を用いてパチンコ遊技が行われる。クレジット球の発射数と一対一対応でクレジット球数は減り、発射した遊技球（クレジット球）が入賞すれば、その入賞口に応じて定められた個数の賞球が払い出される。払い出された賞球の数はクレジット球数に加算される。パチンコ機本体１内に貯留可能なクレジット球数には上限値があるが、本実施形態においてその上限値は１０００個に設定されている。クレジット球数が上限値１０００個を超えた場合の処理は後述する。
球貸し可否表示部１１は、例えば１個のＬＥＤからなり、その点灯により球貸しが可能である旨を表示する。
【００２９】
遊技球管理精算装置２は、その収納筐体５の正面視上下寸法が上記本体収納筐体４の正面視上下寸法に合わされ、正面視左右方向が薄い長方体状の外形状を有し、所謂パチンコ島において隣接する他のパチンコ機本体（図示せず）との間にサンドイッチ状に挟込み配置可能に形成されている。以下、この遊技球管理精算装置２を台間精算機と記す。
台間精算機２は、このような長方体状の部分の正面側に、操作部１２及び表示部、ここでは液晶表示器からなる表示部１３を一体化してなる操作盤１４が、その操作部１２及び表示部１３をパチンコ機本体１の正面左側下方において遊技者側に向けて設けられている。
同じく台間精算機２の正面側には、上記磁気記録カード（以下、カードと略記する。）が使用できることを表示する、例えば「点灯中カード使用可」と記されたランプレンズ１５やカード挿入口１６等が設けられている。
なお操作盤１４は、パチンコ遊技開始時の球貸し、パチンコ遊技の開始後の追加球貸し及びパチンコ遊技終了時の精算等の操作、あるいは遊技休憩中の旨や台間精算機２内の貯留球の数（外部貯留球数）を表示部１３に表示させるため等の操作を、表示部１３の表示を見ながら操作部１２によって可能である。
操作部１２には、図示例では２つの多機能操作スイッチ１２ａ，１２ｂと精算操作専用の精算スイッチ１２ｃとを備えている。
【００３０】
図６は図１に示した映像式パチンコ機の概略ブロック図である。
この図から分かるように、パチンコ機本体１は、発射操作部６、画像表示器７及びデータ表示器８の他、映像式パチンコ機におけるパチンコ遊技の基本的な動作（実パチンコ機の遊技盤面上で通常繰り広げられる動作に相当する動作）を制御、実行するためのＣＰＵ、ＲＯＭ、ＲＡＭ、ＧＰＵ（グラフィックス・プロセッシング・ユニット）、ビデオＲＡＭ等（図示せず）を有する主制御装置２１及び画像表示制御装置２２を備える。パチンコ機本体１は、音声による遊技演出を行うための音声制御装置２３及びスピーカ２４や、台間精算機２との通信手段２５等も備える。
台間精算機２は、パチンコ遊技開始時の球貸し処理、同遊技終了時の精算処理、及びパチンコ遊技開始後であって精算スイッチ１２ｃの操作前にパチンコ機本体１との間で行われる各種球数の移送処理等を制御、実行する球数制御装置３１、リーダライタ装置３や操作盤１４の他、パチンコ機本体１との通信手段３２等を備える。上記球数制御装置３１は、ＣＰＵ、ＲＯＭ及びＲＡＭ等を備える。
パチンコ機本体１と台間精算機２とは通信線４１で結ばれており、詳細を後述する種々の通信が可能である。
【００３１】
ここで、本実施形態においては、パチンコ機本体１及び台間精算機２間には各々情報更新制御手段２６，３３を備えている。
この情報更新制御手段２６，３３は、各々パチンコ機本体１及び台間精算機２間で、上記カードへの情報の更新を含む各種情報の更新を伴う通信が生じた場合に、その各通信に係るパチンコ機本体１及び台間精算機２双方において共通の情報の更新タイミングを、その各通信の一連の手順の完了後とするための手段である。
この情報更新制御手段２６，３３は、各通信における機能の詳細を後述するが、例えば、台間精算機２からの貸し球数（パチンコ機本体１においてクレジット球数となる球数）情報の送信に伴う同台間精算機２のリーダライタ装置３によるカードの情報更新タイミングを、上記貸し球数情報の送受信（通信）の完了後とするように働く。
【００３２】
なお、上記「通信に係るパチンコ機本体１及び台間精算機２双方において共通の情報」とは、例えば、その通信において同一内容の情報の更新が必要な場合にはその同一内容の情報相互を指す。また、カードに書き込まれた球貸し度数や各種球数のパチンコ機本体１及び台間精算機２間での移送においては、移送元の度数、球数の減算結果情報と移送先の度数、球数の加算結果情報を指す。
情報更新制御手段２６，３３は、これらの情報が常に整合するように、つまり、同一値となるべき場合には同一値となり、加減算や乗除算が必要であってそれらの計算結果が相反した値をとるべき場合にはそのような相反した値になるように、上記共通の情報の更新タイミングを通信の一連の手順の完了後とする。
また、上記「通信の一連の手順」とは、ある種類の情報の更新を伴う通信の開始から終了までが複数の手順（ステップ）を経て行われる場合の通信手順の全体を指す。通信手順の最終ステップの直前のステップが処理了解コマンドの送信である場合には、そのコマンド送信側においては同コマンドの送信後を「通信の一連の手順」の完了後に含めてもよい。
【００３３】
ここで上記各種情報には、パチンコ遊技の開始に際し、台間精算機２のリーダライタ装置３によりカードから読み出された有価情報に対し、操作盤１４の操作部１２によって操作された度数に応じて台間精算機２内に生成され、同台間精算機２からパチンコ機本体１に送信される貸し球数情報がある。また、パチンコ遊技の終了に際し、操作部１２に設けられた精算スイッチ１２ｃの操作に基づきパチンコ機本体１から台間精算機２に送信される、パチンコ機本体１に残っているクレジット球数（残持ち球数）情報がある。
【００３４】
上記各種情報には、更にパチンコ遊技の開始後であって精算スイッチ１２ｃの操作前に関しては、台間精算機２（リーダライタ装置３）及びパチンコ機本体１間で行われる、球数の移送に係る情報がある。
この球数の移送に係る情報としては、例えば、パチンコ機本体１から台間精算機２へ送信される溢れ球数情報（一定数、ここでは１０００個を超えるクレジット球数の情報）がある。また、台間精算機２側における貸し球数の追加操作による追加貸し球数情報、すなわちリーダライタ装置３によりカードから読み出された有価情報に対して台間精算機２側で追加操作された度数に応じて生成され、パチンコ機本体１に送信される追加貸し球数（クレジット球数）情報等がある。
【００３５】
次に、上述した本実施形態の動作について説明する。
パチンコ遊技に係る動作は通常の映像式パチンコ機における場合と特に変わるところはないので、ここではパチンコ機本体１及び台間精算機２間の通信及びその通信に応じた処理に係る動作（手順）について説明する。
【００３６】
図７〜図１７は、各々異なる種類の通信における手順の一例の説明図である。
各例において、通信プロトコルは特に限定されないが、ここでは全二重調歩同期式を採っている。通信は、図６中の通信線４１を介して行われるが、上記のように全二重通信を行う場合は、周波数多重方式等、特殊な方法を採る場合を除いて２本の通信線が用いられる。半二重通信を行う場合は、図示通り１本の通信線４１が用いられる。３本以上の複数本の通信線によれば、パラレル通信が可能となる。通信は、主制御装置２１、球数制御装置３１の制御に基づき通信手段２５，３２によって行うが、後述する共通の情報の更新タイミングの制御については情報更新制御手段２６，３３が行う。
通信手順は、主制御装置２１や球数制御装置３１内のＲＯＭ等に格納されたプログラムに記述され、このプログラムの実行により一定の手順に従った通信が行われる。通信エラー等、何らかの障害が生じて通信が完了（正常終了）しない場合には、その通信に係る一連の手順の最初に戻って再通信を行う。
図７〜図１７中の「流れ」を示す各欄において、図中の上方から下方に向かって時間が進行する。
【００３７】
まず、第１例を図７に基づいて説明する。
図７は、パチンコ機、すなわちパチンコ機本体１及び台間精算機２における電源投入時の同パチンコ機本体１及び台間精算機２間の電源投入・接続確認処理を実行する場合の通信手順を例示する。
この例では、始めにパチンコ機本体１への電源投入により、同パチンコ機本体１は電源投入コマンドを台間精算機２に送信する（流れI）。台間精算機２が電源投入コマンドを正常受信すると、電源投入・接続確認処理の処理了解コマンドをパチンコ機本体１に返す（流れII）。この処理了解コマンドの送信後、台間精算機２は通常処理へ移行し、使用可能状態となる。上記処理了解コマンドをパチンコ機本体１が正常受信すると、パチンコ機本体１は通常処理へ移行し、パチンコ遊技可能状態となる。
【００３８】
パチンコ機本体１及び台間精算機２の双方において、電源投入・接続確認処理了解の旨の情報（共通の情報）をパチンコ機本体１及び台間精算機２内の各ＲＡＭ等に記録（初期０クリア状態からの更新）する場合、そのタイミングは次の通りとされている。すなわち、台間精算機２側は電源投入コマンドの正常受信に基づく電源投入・接続確認処理の処理了解コマンド送信後とされている。また、パチンコ機本体１側は台間精算機２からの上記
処理了解コマンドの正常受信後とされている。
【００３９】
電源投入・接続確認処理了解の旨の情報の更新タイミングが、例えばパチンコ機本体１側について、電源投入コマンドの送信時、つまり通信の一連の手順の完了前にされていると、その後の通信等において何らかの障害があって、台間精算機２側において電源投入・接続確認処理の処理了解コマンドが送信されない場合に、パチンコ機本体１及び台間精算機２間において処理了解に係る情報（共通の情報）の不整合を生じさせる。
しかし、上記のようにパチンコ機本体１及び台間精算機２の双方において、電源投入・接続確認処理了解の旨の情報、つまり共通の情報の更新タイミングを、電源投入・接続確認処理に要するコマンドの正常送受信後（通信の一連の手順の完了後）としているので、パチンコ機本体１及び台間精算機２間において処理了解に係る情報の不整合を生じさせることはない。
【００４０】
第２例を図８に基づいて説明する。
図８は、パチンコ機の停電復帰時におけるパチンコ機本体１及び台間精算機２間の停電復帰・接続確認処理を実行する場合の通信手順を例示する。
この例では、始めにパチンコ機本体１の停電復帰により、同パチンコ機本体１は停電復帰コマンドを台間精算機２に送信する（流れI）。台間精算機２が停電復帰コマンドを正常受信すると、停電復帰・接続確認処理の処理了解コマンドをパチンコ機本体１に返す（流れII）。この処理了解コマンドの送信後、台間精算機２は停電復帰処理を実行し、その後、通常処理へ移行して使用可能状態となる。上記処理了解コマンドをパチンコ機本体１が正常受信すると、パチンコ機本体１は停電復帰処理を実行し、その後、通常処理へ移行してパチンコ遊技可能状態となる。
【００４１】
パチンコ機本体１及び台間精算機２の双方において、停電復帰・接続確認処理了解の旨の情報（共通の情報）をパチンコ機本体１及び台間精算機２内の各ＲＡＭ等に記録（初期０クリア状態からの更新）する場合、そのタイミングは次の通りとされている。すなわち、台間精算機２側は停電復帰コマンドの正常受信に基づく停電復帰・接続確認処理の処理了解コマンド送信後とされている。また、パチンコ機本体１側は、台間精算機２からの上記処理了解コマンドの正常受信後とされている。
【００４２】
停電復帰・接続確認処理了解の旨の情報の更新タイミングが、例えばパチンコ機本体１側について、停電復帰コマンドの送信時、つまり通信の一連の手順の完了前にされていると、その後の通信等において何らかの障害があって、台間精算機２側において停電復帰・接続確認処理の処理了解コマンドが送信されない場合に、パチンコ機本体１及び台間精算機２間において処理了解に係る情報（共通の情報）の不整合を生じさせる。
しかし、上記のようにパチンコ機本体１及び台間精算機２の双方において、停電復帰・接続確認処理了解の旨の情報、つまり共通の情報の更新タイミングを、停電復帰・接続確認処理に要するコマンドの正常送受信後（通信の一連の手順の完了後）としているので、パチンコ機本体１及び台間精算機２間において処理了解に係る情報の不整合を生じさせることはない。
【００４３】
第３例を図９に基づいて説明する。
図９は、パチンコ機本体１内のクレジット球数が上限値：１０００個を超え、その超えた数のクレジット球（これを溢れ球という。）を台間精算機２に移送する溢れ球数移送処理を実行する場合の通信手順を例示する。
この例では、始めにパチンコ機本体１における溢れ球の発生の検出により、パチンコ機本体１は溢れ球数コマンドを台間精算機２に送信する（流れI）。台間精算機２が溢れ球数コマンドを正常受信すると、溢れ球数移送処理の処理了解コマンドをパチンコ機本体１に返し（流れII）、その後、移送されてきた溢れ球数を台間精算機２内に存在する外部貯留球数に加算し、台間精算機２側における溢れ球数移送処理を終了（台間精算機２側にとって通信の一連の手順を完了）する。
パチンコ機本体１が上記流れIIによる処理了解コマンドを正常受信すると、パチンコ機本体１は、溢れ球数コマンド送信前に存在していたクレジット球数から、移送した溢れ球数分のクレジット球数を減算し、パチンコ機本体１側における溢れ球数移送処理を終了（通信の一連の手順を完了）する。
【００４４】
パチンコ機本体１及び台間精算機２の双方において共通の情報、本例では台間精算機２における溢れ球数加算後の外部貯留球数、及びパチンコ機本体１における溢れ球数減算後のクレジット球数の更新タイミングが、例えばパチンコ機本体１側について、溢れ球数コマンドの送信時（通信の一連の手順の完了前）にされていると、その後の通信等において何らかの障害があって、台間精算機２側において溢れ球数移送処理の処理了解コマンドが送信されない場合に、上記共通の情報の不整合を生じさせる。
すなわち、パチンコ機本体１側においてその後の処理が進行し、溢れ球数コマンド送信前に存在していたクレジット球数から、溢れ球数コマンドに係る溢れ球数分のクレジット球数が減算されてしまうが、台間精算機２側において外部貯留球数への溢れ球数の加算が行われず、パチンコ機本体１及び台間精算機２の双方において共通の情報の不整合を生じさせる。
【００４５】
しかし上記のように、パチンコ機本体１及び台間精算機２の双方において共通の情報の更新タイミングを、溢れ球数移送処理に要するコマンドや溢れ球数情報の正常送受信後（通信の一連の手順の完了後）としているので、上記共通の情報、具体的にはパチンコ機本体１における球数減算結果値と台間精算機２における球数加算結果値の不整合を生じさせることはない。
なお、上述例では溢れ球が生じたときに移送するクレジット球数を、溢れ球数分としたが、これのみに限らない。例えば、溢れ球数に一定数、例えば５００個を加えた球数を移送するようにしてもよく、１０００個全部を加えた球数を移送するようにしてもよい。１０００個全部を加えた球数を移送するようにした場合には、パチンコ機本体１における、流れIIによる処理了解コマンドを正常受信したときのクレジット球数に対する処理は０クリアとなり、同０クリア後に、パチンコ機本体１側における溢れ球数移送処理が終了となる。
【００４６】
第４例を図１０に基づいて説明する。
図１０は、パチンコ遊技開始時の球貸し処理を実行する場合の通信手順を例示する。
この例では、始めに台間精算機２における遊技者の球貸しスイッチ（この球貸しスイッチは、操作スイッチ１２ａ，１２ｂの所定の操作手順を経て設定される。）の操作、つまり球貸し操作の検出により、台間精算機２は球貸し要求コマンドをパチンコ機本体１に送信する（流れI）。パチンコ機本体１は球貸し要求コマンドを正常受信すると、球貸し処理の処理了解コマンドを台間精算機２に返す（流れII）。
台間精算機２は、球貸し処理の処理了解コマンドを正常受信すると、上記球貸しスイッチで操作された度数に応じた貸し球数（パチンコ機本体１において発射持ち球数となる球数）を移送する貸し球数コマンドをパチンコ機本体１に送信する（流れIII）。パチンコ機本体１は貸し球数コマンドを正常受信すると、移送されてきた貸し球数をパチンコ機本体１内部のクレジット球数に加算した場合に生ずる溢れ球数を示す溢れ球コマンドを台間精算機２に送る（流れIV）。パチンコ機本体１は溢れ球が０の場合も溢れ球数コマンドを台間精算機２に送る。台間精算機２からの球貸し処理の処理了解コマンドをパチンコ機本体１に送るためである。なお、この段階では溢れ球数の算出のみ行う。
パチンコ機本体１が溢れ球数コマンドを台間精算機２に送ると、台間精算機２はその溢れ球数コマンドの正常受信に応じてパチンコ機本体１に処理了解コマンドを返す（流れV）。台間精算機２は、その後、上記球貸しスイッチで操作された度数分だけ球貸し度数を減算して減算結果をカードに書き込む（更新する）と共に、パチンコ機本体１から移送されてきた溢れ球数を同台間精算機２内に存在する外部貯留球数に加算し、台間精算機２側における球貸し処理を終了する。
流れVにより、パチンコ機本体１が処理了解コマンドを正常受信すると、同パチンコ機本体１は、内部のクレジット球数に、流れIIIにおいて送られてきた貸し球数を加算し、溢れ球がない場合はその加算結果を、ある場合は溢れ球数分を減算した数、すなわち上限値をクレジット球数とし、パチンコ機本体１側における球貸し処理を終了（通信の一連の手順を完了）する。
なお図１０においては、各通信手順におけるカード度数（カードに書き込まれた球貸し度数）、クレジット球数、溢れ球数及び外部貯留球数の推移の一例を付記してある。以降の図における付記も各通信手順における度数や球数の推移の例を示す。
【００４７】
パチンコ機本体１及び台間精算機２の双方において共通の情報、本例では台間精算機２における上記貸し球数相当の度数減算後のカード度数、及びパチンコ機本体１における上記球貸し度数相当の貸し球数加算後のクレジット球数の更新タイミングが、例えば台間精算機２側について、貸し球数コマンドの送信時（通信の一連の手順の完了前）にされていると、その後の通信等において何らかの障害があって、パチンコ機本体１側において最終的な処理了解コマンド（流れV）が受信されない場合に、パチンコ機本体１及び台間精算機２の双方において共通の情報の不整合を生じさせる。
すなわち、台間精算機２側においてその後の処理が進行し、貸し球数コマンドの送信前に存在していた球貸し度数から、移送した貸し球数分の度数が減算（カード度数が減算結果値で更新）されてしまうが、パチンコ機本体１側において、クレジット球数に貸し球数が加算されないというパチンコ機本体１及び台間精算機２の双方において共通の情報の不整合を生じさせる。
【００４８】
しかし上記のように、パチンコ機本体１及び台間精算機２の双方において共通の情報の更新タイミングを、流れVに示す最終的な処理了解コマンドの正常送受信後（通信の一連の手順の完了後）としているので、上記共通の情報、具体的にはパチンコ機本体１におけるクレジット球数への貸し球数の加算結果値と台間精算機２における球数減算結果値（球貸し度数）の不整合を生じさせることはない。したがって、カード所有者に損害を与えることはない。
【００４９】
第５例を図１１に基づいて説明する。
図１１は、パチンコ機本体１内のクレジット球数が所定値、例えば５個以下となったときに台間精算機２の外部貯留球数から一定数、例えば１２５個の球を自動移送し、パチンコ機本体１内のクレジット球として加えるクレジット球数自動追加処理を実行する場合の通信手順を例示する。
この例では、始めにパチンコ機本体１内のクレジット球数の所定値以下の検出により、パチンコ機本体１はクレジット球数追加コマンドを台間精算機２に送信する（流れI）。台間精算機２がクレジット球数追加を正常受信し、クレジット球数追加が可能、つまり台間精算機２内の外部貯留球数が一定値以上あれば、その一定値の球数を移送する移送球数コマンドをパチンコ機本体１に送信する（流れII）。パチンコ機本体１は、移送球数コマンドを正常受信すると、台間精算機２に処理了解コマンドを返し（流れIII）、その後、同パチンコ機本体１内のクレジット球数に、流れIIにおいて送られてきた一定値の球数を加算し、パチンコ機本体１側におけるクレジット球数自動追加処理を終了する。
【００５０】
クレジット球数自動追加処理につき、パチンコ機本体１及び台間精算機２の双方において共通の情報、本例ではパチンコ機本体１における移送球数加算後のクレジット球数、及び台間精算機２における移送球数減算後の外部貯留球数の更新タイミングが、例えば台間精算機２側について、移送球数コマンドの送信時にされていると、その後の通信等において何らかの障害があって、パチンコ機本体１側においてクレジット球数自動追加処理の処理了解コマンドが送信されない場合に上記共通の情報の不整合を生じさせる。
すなわち、台間精算機２側においてその後の処理が進行し、移送球数コマンド送信前に存在していた外部貯留球数から、移送球数分の球数が減算されてしまうが、パチンコ機本体１側においてクレジット球数への移送球数の加算が行われず、パチンコ機本体１及び台間精算機２の双方において共通の情報の不整合を生じさせる。
【００５１】
しかし上記のように、パチンコ機本体１及び台間精算機２の双方において共通の情報の更新タイミングを、クレジット球数自動追加処理に要するコマンドや移送球数情報の正常送受信後（通信の一連の手順の完了後）としているので、上記共通の情報、具体的にはパチンコ機本体１における球数加算結果値と台間精算機２における球数減算結果値の不整合を生じさせることはない。
【００５２】
第６例を図１２に基づいて説明する。
図１２は、台間精算機２の外部貯留球数から所望数、例えば１２５個の球を手動移送し、パチンコ機本体１内のクレジット球として加えるクレジット球数手動追加処理を実行する場合の通信手順を例示する。
この例では、始めに台間精算機２における遊技者の外部貯留球使用スイッチ（この外部貯留球使用スイッチは、操作スイッチ１２ａ，１２ｂの所定の操作手順を経て設定される。）の操作、つまりクレジット球数手動追加する追加球貸し操作の検出により、台間精算機２は外部貯留球使用コマンドをパチンコ機本体１に送信する（流れI）。パチンコ機本体１は外部貯留球使用コマンドを正常受信すると、クレジット球数手動追加処理の処理了解コマンドを台間精算機２に返す（流れII）。
台間精算機２は、その処理了解コマンドを正常受信すると、上記外部貯留球使用スイッチで操作された分の球数を移送する移送球数コマンドをパチンコ機本体１に送信する（流れIII）。パチンコ機本体１は移送球数コマンドを正常受信すると、移送されてきた外部貯留球数をパチンコ機本体１内部のクレジット球数に加算した場合に生ずる溢れ球数を示す溢れ球コマンドを台間精算機２に送る（流れIV）。パチンコ機本体１は溢れ球が０の場合も溢れ球数コマンドを台間精算機２に送る。台間精算機２からのクレジット球数手動追加処理の処理了解コマンドをパチンコ機本体１に送るためである。なお、この段階では溢れ球数の算出のみ行う。
すなわち、パチンコ機本体１が溢れ球数コマンドを台間精算機２に送ると、台間精算機２はその溢れ球数コマンドの正常受信に応じてパチンコ機本体１に処理了解コマンドを返す（流れV）。台間精算機２は、その後、上記外部貯留球使用スイッチで操作された球数分だけ外部貯留球数を減算すると共に、パチンコ機本体１から移送されてきた溢れ球数を同台間精算機２内の外部貯留球数に加算し、台間精算機２側におけるクレジット球数手動追加処理を終了する。
流れVにより、パチンコ機本体１が処理了解コマンドを正常受信すると、同パチンコ機本体１は、内部のクレジット球数に、流れIIIにおいて送られてきた移送球数（外部貯留球数）を加算し、溢れ球がない場合はその加算結果を、ある場合は溢れ球数分を減算した数、すなわち上限値をクレジット球数とし、パチンコ機本体１側におけるクレジット球数手動追加処理を終了（通信の一連の手順を完了）する。
【００５３】
クレジット球数手動追加処理につき、パチンコ機本体１及び台間精算機２の双方において共通の情報、本例では台間精算機２における移送球数減算後の外部貯留球数、及びパチンコ機本体１における移送球数加算後のクレジット球数の更新タイミングが、例えば台間精算機２側について、移送球数コマンドの送信時（通信の一連の手順の完了前）にされていると、その後の通信等において何らかの障害があって、パチンコ機本体１側において最終的な処理了解コマンド（流れV）が受信されない場合に上記共通の情報の不整合を生じさせる。
すなわち、台間精算機２側においてその後の処理が進行し、移送球数コマンド送信前に存在していた外部貯留球数から、移送球数分の球数が減算されてしまうが、パチンコ機本体１側においてクレジット球数への移送球数の加算が行われず、パチンコ機本体１及び台間精算機２の双方において共通の情報の不整合を生じさせる。
【００５４】
しかし上記のように、パチンコ機本体１及び台間精算機２の双方において共通の情報の更新タイミングを、流れVに示す最終的な処理了解コマンドの正常送受信後（通信の一連の手順の完了後）としているので、上記共通の情報、具体的にはパチンコ機本体１におけるクレジット球数への移送球数の加算結果値と台間精算機２における球数減算結果値（外部貯留球数）の不整合を生じさせることはない。したがって、カード所有者に損害を与えることはない。
【００５５】
第７例を図１３に基づいて説明する。
図１３は、パチンコ遊技終了時の精算処理、ここでは遊技終了可能状態おける精算処理（第１精算処理）を実行する場合の通信手順を例示する。
この例では、始めに台間精算機２における遊技者の精算スイッチ１２ｃの操作、つまり精算操作の検出により、台間精算機２は精算指示コマンドをパチンコ機本体１に送信する（流れI）。パチンコ機本体１は精算指示コマンドを正常受信すると、本例においては遊技終了可能状態であるので、パチンコ機本体１内の残クレジット球数（残持ち球数）を台間精算機２に移送するためのクレジット球数コマンドを台間精算機２に送信する（流れII）。なお、上記「遊技終了可能状態」については適宜定義可能であるが、少なくとも遊技盤面に遊技球がある状態は除かれる。
台間精算機２は、クレジット球数コマンドを正常受信すると、パチンコ機本体１に第１精算処理の処理了解コマンドを返す（流れIII）。台間精算機２は、その後、カード精算、つまり残クレジット球数を外部貯留球数に加算し、その加算値をカードに書き込み（更新記録し）、そのカードを台間精算機２から排出させ、台間精算機２側における精算処理を終了する。
流れIIIにより、パチンコ機本体１が上記処理了解コマンドを正常受信すると、同パチンコ機本体１は、残クレジット球数を０クリアし、パチンコ機本体１側における精算処理を終了（通信の一連の手順を完了）する。
【００５６】
第１精算処理時につき、パチンコ機本体１及び台間精算機２の双方において共通の情報、本例では台間精算機２における加算後の外部貯留球数、及びパチンコ機本体１における減算（０クリア）後のクレジット球数の更新タイミングが、例えばパチンコ機本体１側について、残クレジット球数コマンドの送信時（通信の一連の手順の完了前）にされていると、その後の通信等において何らかの障害があって、台間精算機２側において第１精算処理の処理了解コマンドが送信されない場合に上記共通の情報の不整合を生じさせる。
すなわち、パチンコ機本体１側においてその後の処理が進行し、残クレジット球数が０クリアされてしまうが、台間精算機２側においてカード精算（残クレジット球数の外部貯留球数ヘの加算）が行われず、パチンコ機本体１及び台間精算機２の双方において共通の情報の不整合を生じさせる。
【００５７】
しかし上記のように、パチンコ機本体１及び台間精算機２の双方において共通の情報の更新タイミングを、残クレジット球数コマンドや残クレジット球数情報の正常送受信後（通信の一連の手順の完了後）としているので、上記共通の情報、具体的にはパチンコ機本体１における０クリア前のクレジット球数、つまり残クレジット球数値（クレジット球数減算結果値）と台間精算機２における球数加算結果値の不整合を生じさせることはない。したがって、カード所有者に損害を与えることはない。
【００５８】
第８例を図１４に基づいて説明する。
図１４は、パチンコ遊技終了時の精算処理、ここでは遊技終了不能状態おける精算処理（第２精算処理）を実行する場合の通信手順を例示する。
この場合も、初めに台間精算機２における遊技者の精算スイッチ１２ｃの操作（精算操作）の検出により、台間精算機２は精算指示コマンドをパチンコ機本体１に送信する（流れI）。パチンコ機本体１は精算指示コマンドを正常受信すると、本例においては遊技終了不能状態であるので、パチンコ機本体１は精算処理中断コマンド（第２精算処理の処理了解コマンド）を台間精算機２に送信する（流れII）。なお、上記「遊技終了不能状態」については適宜定義可能であるが、少なくとも遊技盤面に遊技球がある状態は含まれる。
台間精算機２は、精算処理中断コマンドを正常受信すると、パチンコ機本体１に第２精算処理の処理了解コマンド（精算処理中断了解コマンド）を返す（流れIII）。台間精算機２は、その後、遊技者に遊技終了不可の旨のメッセージ、例えば「遊技中のため精算できません。」を操作盤１４の表示部１３に表示させ、台間精算機２側における精算中断処理を終了する。
流れIIIにより、パチンコ機本体１が上記処理了解コマンドを正常受信すると、同パチンコ機本体１は何もせず、パチンコ機本体１側における精算中断処理（第２精算処理）を終了、つまり通信の一連の手順を完了する。
【００５９】
パチンコ機本体１及び台間精算機２の双方において、精算中断処理了解の旨、換言すれば第２精算処理終了の旨の情報（共通の情報）の更新タイミングが、例えばパチンコ機本体１側について、精算処理中断コマンドの送信時（通信の一連の手順の完了前）にされていると、その後の通信等において何らかの障害があって、パチンコ機本体１側において精算処理中断コマンドが送信されない場合に、パチンコ機本体１及び台間精算機２間において、中断処理了解に係る情報の不整合を生じさせる。
すなわち、パチンコ機本体１側においては手順通りその後の処理を何も行わずに第２精算処理を終了してしまう（第２精算処理終了という情報を保持する）。しかし、台間精算機２側において中断処理了解した場合に行われるその後の処理、例えば上記遊技終了不可の旨のメッセージ表示や台間精算機２側における第２精算中断処理が全く行われない（第２精算処理未了という情報を保持する）という、パチンコ機本体１及び台間精算機２の双方において共通の情報の不整合を生じさせる。
【００６０】
しかし上記のように、パチンコ機本体１及び台間精算機２の双方において、精算中断処理了解（第２精算処理終了）の旨の情報、つまり共通の情報の更新タイミングを、精算処理中断コマンドの正常送受信後（通信の一連の手順の完了後）としているので、パチンコ機本体１及び台間精算機２間において第２精算処理終了に係る情報の不整合、具体的にはパチンコ機本体１側においては第２精算処理終了状態となっているにも拘わらず、台間精算機２側では第２精算処理未了状態になっているという状態情報の不整合を生じさせることはない。
【００６１】
第９例〜第１１例としては、パチンコ遊技の開始後であって精算スイッチ１２ｃの操作前においてパチンコ機本体１内のクレジット球がなくなったときの確認処理（クレジット球数終了確認処理）を実行する場合の通信手順を説明する。
まず第９例を図１５に基づいて説明する。
図１５は、台間精算機２に外部貯留球があるときのクレジット球数終了確認処理（第１クレジット球数終了確認処理）を実行する場合の通信手順を例示する。
本例におけるクレジット球数終了確認処理は、遊技者側にとっては、クレジット球がなくなったことに気づかない場合でもパチンコ遊技を円滑に継続できる利点があり、ホール側にとっては、台間精算機２内の外部貯留球の使用を促進できる利点がある。
【００６２】
図１５において、パチンコ機本体１は、クレジット球がなくなったこと（クレジット球数終了）を検出するとクレジット球数終了確認コマンドを台間精算機２に送信する（流れI）。台間精算機２は、クレジット球数終了確認コマンドを正常受信すると、パチンコ機本体１にクレジット球数終了確認処理の処理了解コマンドを返す（流れII）。台間精算機２は、その後、台間精算機２内に外部貯留球（持ち球）があるか確認し、あれば操作盤１４の表示部１３に、例えば「遊技球がありません。持ち球使用操作をして下さい。」というメッセージを表示させて上記外部貯留球の使用を促し、台間精算機２側におけるクレジット球数終了確認処理を終了する。
流れIIにより、パチンコ機本体１が上記処理了解コマンドを正常受信すると、同パチンコ機本体１は何もせず、パチンコ機本体１側におけるクレジット球数終了確認処理を終了（通信の一連の手順を完了）する。
【００６３】
パチンコ機本体１及び台間精算機２の双方において、クレジット球数終了確認処理了解の旨、換言すればクレジット球数終了確認処理終了の旨の情報（共通の情報）の更新タイミングが、例えばパチンコ機本体１側について、クレジット球数終了確認コマンドの送信時（通信の一連の手順の完了前）にされていると、その後の通信等において何らかの障害があって、台間精算機２側においてクレジット球数終了確認コマンドが受信されない場合に、パチンコ機本体１及び台間精算機２間において処理了解に係る情報の不整合を生じさせる。
すなわち、パチンコ機本体１側においては手順通りその後の処理を何も行わずにクレジット球数終了確認処理を終了してしまう（クレジット球数終了確認処理終了という情報を保持する）が、台間精算機２側においてクレジット球数終了確認処理了解した場合に行われるその後の処理、例えば上記のような外部貯留球の使用を促すメッセージ表示が行われない（クレジット球数終了確認処理未了の情報を保持する）という、パチンコ機本体１及び台間精算機２の双方において共通の情報の不整合を生じさせる。
【００６４】
しかし上記のように、パチンコ機本体１及び台間精算機２の双方において、クレジット球数終了確認処理了解（クレジット球数終了確認処理終了）の旨の情報、つまり共通の情報の更新タイミングを、クレジット球数終了確認コマンドの正常送受信後（通信の一連の手順の完了後）としているので、パチンコ機本体１及び台間精算機２間においてクレジット球数終了確認に係る情報の不整合、具体的にはパチンコ機本体１側においてはクレジット球数終了確認処理終了状態となっているにも拘わらず、台間精算機２側ではクレジット球数終了確認処理未了状態になっているという状態情報の不整合を生じさせることはない。
【００６５】
第１０例を図１６に基づいて説明する。
図１６は、台間精算機２内に外部貯留球がない（外部貯留球数も終了している）ときのクレジット球数終了確認処理（第２クレジット球数終了確認処理）を実行する場合の通信手順を例示する。
本例におけるクレジット球数終了確認処理は、遊技者側にとっては、クレジット球に加えて外部貯留球（持ち球）もなくなったことに気づかない場合でもパチンコ遊技を円滑に継続できる利点があり、ホール側にとっては、カードに記録された有価情報、ここでは投資金額に応じた度数の追加使用（追加球貸し）を促進できる利点がある。
【００６６】
図１６において、パチンコ機本体１は、クレジット球がなくなったこと（クレジット球数終了）を検出するとクレジット球数終了確認コマンドを台間精算機２に送信する（流れI）。台間精算機２は、クレジット球数終了確認コマンドを正常受信すると、パチンコ機本体１にクレジット球数終了確認処理の処理了解コマンドを返す（流れII）。台間精算機２は、その後、台間精算機２内に外部貯留球（持ち球）があるか、及びカードに書き込まれた球貸し度数（カード度数）が残っているか確認し、持ち球（外部貯留球）がなく度数が残っていれば、操作盤１４の表示部１３に、例えば「遊技球がありません。球貸し操作をして下さい。」というメッセージを表示させて上記度数の追加使用（追加球貸し）を促し、台間精算機２側におけるクレジット球数終了確認処理を終了する。
流れIIにより、パチンコ機本体１が同上確認処理の処理了解コマンドを正常受信すると、同パチンコ機本体１は何もせず、パチンコ機本体１側におけるクレジット球数終了確認処理を終了（通信の一連の手順を完了）する。
【００６７】
パチンコ機本体１及び台間精算機２の双方において、クレジット球数終了確認処理了解の旨、換言すればクレジット球数終了確認処理終了の旨の情報（共通の情報）の更新タイミングが、例えばパチンコ機本体１側について、クレジット球数終了確認コマンドの送信時（通信の一連の手順の完了前）にされていると、その後の通信等において何らかの障害があって、台間精算機２側においてクレジット球数終了確認コマンドが受信されない場合に、パチンコ機本体１及び台間精算機２間において処理了解に係る情報の不整合を生じさせる。
すなわち、パチンコ機本体１側においては手順通りその後の処理を何も行わずにクレジット球数終了確認処理を終了してしまう（クレジット球数終了確認処理終了という情報を保持する）が、台間精算機２側においてクレジット球数終了確認処理了解した場合に行われるその後の処理、例えば上記のような外部貯留球の使用を促すメッセージ表示が行われない（クレジット球数終了確認処理未了の情報を保持する）という、パチンコ機本体１及び台間精算機２の双方において共通の情報の不整合を生じさせる。
【００６８】
しかし上記のように、パチンコ機本体１及び台間精算機２の双方において、クレジット球数終了確認処理了解（クレジット球数終了確認処理終了）の旨の情報、つまり共通の情報の更新タイミングを、クレジット球数終了確認コマンドの正常送受信後（通信の一連の手順の完了後）としているので、パチンコ機本体１及び台間精算機２間においてクレジット球数終了確認に係る情報の不整合、具体的にはパチンコ機本体１側においてはクレジット球数終了確認処理終了状態となっているにも拘わらず、台間精算機２側ではクレジット球数終了確認処理未了状態になっているという状態情報の不整合を生じさせることはない。
【００６９】
第１１例を図１７に基づいて説明する。
図１７は、台間精算機２に外部貯留球がなく、カード度数も残っていない（外部貯留球数もカード度数も終了している）ときのクレジット球数終了確認処理（第３クレジット球数終了確認処理）を実行する場合の通信手順を例示する。
本例におけるクレジット球数終了確認処理は、遊技者側にとっては、クレジット球、外部貯留球（持ち球）に加えてカード度数もなくなったことに気づかない場合でもパチンコ遊技を円滑に継続できる利点があり、ホール側にとっては、新規のカードの購入あるいはカード度数の購入（投資）を促進できる利点がある。
【００７０】
図１７において、パチンコ機本体１は、クレジット球がなくなったこと（クレジット球数終了）を検出するとクレジット球数終了確認コマンドを台間精算機２に送信する（流れI）。台間精算機２は、クレジット球数終了確認コマンドを正常受信すると、パチンコ機本体１にクレジット球数終了確認処理の処理了解コマンドを返す（流れII）。台間精算機２は、その後、台間精算機２内に外部貯留球（持ち球）があるか、及びカード度数が残っているか確認し、持ち球及び度数が共に残っていなければ操作盤１４の表示部１３に、例えば「カードを購入してください。」というメッセージを表示させて新規のカードの購入を促し、台間精算機２側におけるクレジット球数終了確認処理を終了する。
流れIIにより、パチンコ機本体１が同上確認処理の処理了解コマンドを正常受信すると、同パチンコ機本体１は何もせず、パチンコ機本体１側におけるクレジット球数終了確認処理を終了（通信の一連の手順を完了）する。
【００７１】
パチンコ機本体１及び台間精算機２の双方において、クレジット球数終了確認処理了解、換言すればクレジット球数終了確認処理終了の旨の情報（共通の情報）の更新タイミングが、例えばパチンコ機本体１側について、クレジット球数終了確認コマンドの送信時（通信の一連の手順の完了前）にされていると、その後の通信等において何らかの障害があって、台間精算機２側においてクレジット球数終了確認コマンドが受信されない場合に、パチンコ機本体１及び台間精算機２間において処理了解に係る情報の不整合を生じさせる。
すなわち、パチンコ機本体１側においては手順通りその後の処理を何も行わずにクレジット球数終了確認処理を終了してしまう（クレジット球数終了確認処理終了という情報を保持する）が、台間精算機２側においてクレジット球数終了確認処理了解した場合に行われるその後の処理、例えば上記のような新規のカードの購入を促すメッセージ表示が行われない（クレジット球数終了確認処理未了の情報を保持する）という、パチンコ機本体１及び台間精算機２の双方において共通の情報の不整合を生じさせる。
【００７２】
しかし上記のように、パチンコ機本体１及び台間精算機２の双方において、クレジット球数終了確認処理了解（クレジット球数終了確認処理終了）の旨の情報、つまり共通の情報の更新タイミングを、クレジット球数終了確認コマンドの正常送受信後（通信の一連の手順の完了後）に行っているので、パチンコ機本体１及び台間精算機２間においてクレジット球数終了確認に係る情報の不整合、具体的にはパチンコ機本体１側においてはクレジット球数終了確認処理終了状態となっているにも拘わらず、台間精算機２側ではクレジット球数終了確認処理未了状態になっているという状態情報の不整合を生じさせることはない。
【００７３】
なお上述実施形態では、本発明を映像式パチンコ機に適用した場合について説明したが、これのみに限らない。例えばＣＲ機や封入球式パチンコ機にも本発明を適用することができる。ＣＲ機は、リーダライタ装置によりカードから読み出された有価情報に対する操作に応じて生成された貸し球数情報をパチンコ機本体側に送信してパチンコ遊技が行われる。この場合、本発明が適用されたＣＲ機においては、情報更新制御手段は、その貸し球数情報の送信に伴うリーダライタ装置におけるカードの情報の更新タイミングを、貸し球数情報のパチンコ機本体側への送信時ではなく、貸し球数情報の送受信の完了後とする。
これによれば、リーダライタ装置側では遊技者の操作に応じた度数の減算を行い、減算後の度数をカードに書き込んだ（更新した）にも拘わらず、その度数に応じた貸し球数情報のパチンコ機本体への通信途中に何らかの障害を受け、それら通信が完了せずに球貸しがされないという事態を回避できる。つまりカード所有者に損害を与えることがなくなる。
【００７４】
更に本発明は、広く、台間精算機及びパチンコ機本体双方において共通の情報の更新を伴う通信が生じる場合に適用できる。この場合、情報更新制御手段は、上記共通の情報の更新タイミングをその通信の一連の手順の完了後としていることは勿論である。
これによれば、台間精算機及びパチンコ機本体間の共通の情報の更新を伴う通信の全ての場合において情報の不整合を生じさせることがない。したがって、特に、台間精算機がパチンコ機本体から送られてきた各種情報をそのまま、あるいは適宜加工してホールコンピュータに転送し、同ホールコンピュータによってホール内のパチンコ機の稼動状況、履歴の把握、管理を行う場合において、ホールコンピュータが集計する台間精算機からの原データ（情報）の信頼性を高めることができる。
【００７５】
また本発明は、映像式パチンコ機、ＣＲ機あるいは封入球式パチンコ機等のパチンコ機以外の記録媒体式遊技機、例えば、前掲特許文献２に開示されているような記録媒体式スロットマシンにも適用できる。
スロットマシンは、遊技者が図柄停止操作するタイプ（所謂パチスロ機等）と図柄停止操作を要しないタイプとがあるが、いずれにしても、複数列の図柄表示部で各別に変動表示する図柄が全て停止した時に、上記複数列の図柄表示部に交差して設定された入賞ライン上に、予め定められた図柄が並んでいるか否かの遊技を行う遊技機である。本発明は、このようなスロットマシンにおいて、遊技を行う際に及び／又は遊技を終了する際に、リーダライタ装置やリーダライタ装置を備えたメダル管理精算装置と、スロットマシン本体との間で、持運び自在の記録媒体に記録された有価情報に基づく情報を含む各種情報を送受信し、その各種情報に基づいて遊技が行われるスロットマシンに適用可能である。
なお、本発明が適用可能なスロットマシンにおいては、上述実施形態における遊技媒体である遊技球、賞球、クレジット球、球貸し、持ち球、貯留球、球数、貸し球、溢れ球、移送球等の「球」はおおよそ「メダル」あるいは「遊技権利データ」に相当する。
【図面の簡単な説明】
【００７６】
【図１】本発明が適用された映像式パチンコ機の一実施形態を示す正面図である。
【図２】同じく右側面図である。
【図３】同じく平面図である。
【図４】図１〜図３に示したパチンコ機の台間精算機部分を取り出して示す斜視図である。
【図５】図１に示したパチンコ機本体のデータ表示器の表示面拡大図である。
【図６】図１に示した映像式パチンコ機の概略ブロック図である。
【図７】同上パチンコ機の本体及び台間精算機間における通信手順の第１例の説明図である。
【図８】同じく第２例の説明図である。
【図９】同じく第３例の説明図である。
【図１０】同じく第４例の説明図である。
【図１１】同じく第５例の説明図である。
【図１２】同じく第６例の説明図である。
【図１３】同じく第７例の説明図である。
【図１４】同じく第８例の説明図である。
【図１５】同じく第９例の説明図である。
【図１６】同じく第１０例の説明図である。
【図１７】同じく第１１例の説明図である。
【符号の説明】
【００７７】
１：パチンコ機本体（遊技機本体）、２：台間精算機（遊技球管理精算装置：遊技媒体管理精算装置）、３：リーダライタ装置、４：本体収納筐体、５：収納筐体、６：発射操作部、７：画像表示器、１２：操作部、１２ａ，１２ｂ：多機能操作スイッチ、１２ｃ：精算スイッチ、１３：表示部、１４：操作盤、１６：カード挿入口、２５，３２：通信手段、２６，３３：情報更新制御手段、４１：通信線。
【図１】
2007215608.tif 000003
【図２】
2007215608.tif 000004
【図３】
2007215608.tif 000005
【図４】
2007215608.tif 000006
【図５】
2007215608.tif 000007
【図６】
2007215608.tif 000008
【図７】
2007215608.tif 000009
【図８】
2007215608.tif 000010
【図９】
2007215608.tif 000011
【図１０】
2007215608.tif 000012
【図１１】
2007215608.tif 000013
【図１２】
2007215608.tif 000014
【図１３】
2007215608.tif 000015
【図１４】
2007215608.tif 000016
【図１５】
2007215608.tif 000017
【図１６】
2007215608.tif 000018
【図１７】
2007215608.tif 000019